(57)【要約】【課題】骨を深く切削し過ぎることを抑制する医療用ドリルを提供する。【解決手段】骨５０を切削する刃部１１を有するドリル本体部１０を備える医療用ドリル（インプラント用ドリル）１００であって、刃部１１が骨５０を切削しながら骨５０の内部に挿通される際、刃部１１が骨５０に挿通される挿通方向Ａと平行な平行方向において骨５０とドリル本体部１０との間で圧縮されるスプリングバネ３０を有することを特徴とする。【選択図】図２
2015217163.tif 000002
【特許請求の範囲】
【請求項１】
骨を切削する刃部を有するドリル本体部を備える医療用ドリルであって、
前記刃部が前記骨を切削しながら前記骨の内部に挿通される際、前記刃部が前記骨に挿通される挿通方向と平行な平行方向において前記骨と前記ドリル本体部との間で圧縮されるバネ部材を有することを特徴とする医療用ドリル。
【請求項２】
前記平行方向において前記バネ部材よりも前記刃部の先端側に設けられ、前記刃部が前記骨を切削しながら前記骨の内部に挿通される際、前記骨の表面であって前記骨に形成される挿通穴の周辺に当接する保護部材を有することを特徴とする請求項１に記載の医療用ドリル。
【請求項３】
前記保護部材は、前記平行方向の端面であって前記骨の表面に当接する面が平面であることを特徴とする請求項２に記載の医療用ドリル。
【請求項４】
前記バネ部材は、前記平行方向に伸縮可能なスプリングバネであることを特徴とする請求項１〜３のいずれか１項に記載の医療用ドリル。
【請求項５】
前記平行方向において前記バネ部材よりも前記刃部の末端側に設けられ、前記刃部の径よりも径の大きいストッパー部を有することを特徴とする請求項１〜４のいずれか１項に記載の医療用ドリル。
【請求項６】
裏側に粘膜を有する前記骨に貫通孔を形成する請求項１〜５のいずれか１項に記載の医療用ドリル。
【発明の詳細な説明】
【技術分野】
【０００１】
本発明は、医療用ドリルに関する。
【背景技術】
【０００２】
手術や治療等医療を行う際に、人体の骨に穴を空ける必要がある場合、医療用ドリルが用いられる。例えば、インプラント治療においては、インプラントの人工歯根（以下、インプラント体という）を埋め込むために、歯茎（歯肉）に覆われた上顎又は下顎の骨に穴を形成する必要がある。上顎又は下顎の骨に穴を形成するために医療用ドリルとしてのインプラント用ドリルが用いられている（例えば、特許文献１）。
【先行技術文献】
【特許文献】
【０００３】
【特許文献１】特開２０１１−１５２２３８号公報
【発明の概要】
【発明が解決しようとする課題】
【０００４】
インプラント治療において、人体の下顎の骨に穴を空ける場合においては以下のような課題がある。下顎には下顎神経と呼ばれる太い神経の束があり、また、その神経の束と並行して動脈が走行している。これら神経や動脈を傷つけないように注意して穴を空ける必要がある。しかし、下顎の骨は、表面が硬く内部が柔らくなっており、硬い箇所と柔らかい箇所があることから切削する際の力加減は非常に難しい。通常、インプラント体としては８〜１２ｍｍの長さのものが使用されるが、患者によっては神経までの距離が８〜１５ｍｍ程度しかない。したがって、神経を傷つけることなく、インプラント体を埋め込むのに十分な深さの穴を空けるには高度な技術が必要であった。
【０００５】
また、人体の上顎の骨に穴を空ける場合においては以下のような課題がある。鼻の隣り、目の下辺りには上顎洞（サイナス）という空洞がある。インプラント体を埋め込むための穴を上顎の骨に空ける際、ドリルが骨を貫通し、骨の裏側の粘膜（シュナイダー膜、上顎洞粘膜）を破いてしまうと、患者が感染をおこし、蓄膿症や上顎洞炎という病気になってしまうおそれがある。なお、シュナイダー膜の厚さは０．５ｍｍ程度である。骨が厚く、骨の表面から上顎洞までの距離が長ければ、そのような問題は生じにくいが、多くの場合、ドリルが骨を貫通するまで数ｍｍ程度の余裕しかない。
【０００６】
また、患者によってはそもそも上顎の骨の厚さがインプラント体の長さより短い場合もある。例えば、インプラント体の長さ９ｍｍに対して、上顎の骨の厚さが５ｍｍ程度の患者もいる。そこで、サイナスリフト法（ソケットリフト法）と呼ばれる、上顎洞の骨の厚みを増やす手術が行われている。サイナスリフト法においては、まず、インプラント用ドリルを用いて、粘膜を破かないように上顎の骨に貫通孔を空ける。そして、貫通孔にインプラント体を挿通し、粘膜にインプラント体を押し当てて破かないように少し押し上げる。その状態で、数カ月待つと、粘膜と骨との間に新しい骨が形成されインプラント体の周りがしっかりと骨に覆われて、インプラント体が安定する。
【０００７】
上記のように、サイナスリフト法を採用する場合、インプラント用ドリルを用いて、骨の裏側にある粘膜を破ることなく上顎の骨に貫通孔を形成する必要がある。インプラント用ドリルを用いて直接貫通孔を形成する場合、粘膜を破いてしまうリスクが大きいため、粘膜を破かないように貫通孔を形成する方法として次のような方法が従来より主流である。まず、ＣＴ画像等で上顎の骨の厚さの詳細な実測値を測定の上、骨を貫通しない長さの
インプラント用ドリルを用いて上顎の骨を切削する。その後、ノミを用いて、切削されて厚みがなくなった骨を割ることで貫通孔を形成し、その貫通孔にインプラント体を挿通し、粘膜を押し上げる。このように、粘膜を破ることなく貫通孔を形成するには熟練された高度な技術が必要であった。
【０００８】
そこで、本発明は、骨を深く切削し過ぎることを抑制する医療用ドリルを提供することを目的とする。さらに、本発明は、骨の裏側の粘膜を破ることなく、骨に直接貫通孔を形成することが可能な医療用ドリルを提供することを目的とする。
【課題を解決するための手段】
【０００９】
本発明は、上記課題を解決するために以下の手段を採用した。
【００１０】
すなわち、本発明の医療用ドリルは、
骨を切削する刃部を有するドリル本体部を備える医療用ドリルであって、
前記刃部が前記骨を切削しながら前記骨の内部に挿通される際、前記刃部が前記骨に挿通される挿通方向と平行な平行方向において前記骨と前記ドリル本体部との間で圧縮されるバネ部材を有することを特徴とする。
【００１１】
刃部が骨を切削しながら骨の内部に挿通される際、刃部が骨に挿通される挿通方向と平行な平行方向において骨とドリル本体部との間で圧縮されるバネ部材を有することにより、挿通方向と反対方向にバネ部材の弾性力が働くこととなる。このように、刃部が骨の内部に挿通されている間、挿通方向と反対方向の弾性力がドリル本体部に働くため、誤って骨を深く切削し過ぎてしまうことが抑制される。また、骨に貫通孔を空ける場合においては、貫通した刃部が挿通方向に急激に骨から突出することが抑制される。
【００１２】
また、上記平行方向においてバネ部材よりも刃部の先端側に設けられ、刃部が骨を切削しながら骨の内部に挿通される際、骨の表面であって骨に形成される挿通穴の周辺に当接する保護部材を有するとよい。このような構成により、バネ部材が、骨の表面であって骨に形成される挿通穴の周辺に直接当たらないため、骨が傷つきにくい。
【００１３】
また、保護部材は、上記平行方向の端面であって骨の表面に当接する面が平面であるとよい。このような構成により、保護部材が骨に対して面で接触するため、骨に対する当接面が大きく、局所的に圧力がかかりにくいため骨が傷つきにくい。
【００１４】
また、バネ部材は、上記平行方向に伸縮可能なスプリングバネであるとよい。スプリング部材が上記平行方向に伸縮可能であるため、圧縮されると挿通方向の反対方向に弾性力を発生する。また、スプリング部材は、圧縮量が大きい程弾性力が大きくなるため、骨に貫通孔が空く瞬間の弾性力が最も大きくなる。したがって、貫通した刃部が挿通方向に急激に骨から突出することが抑制される。
【００１５】
また、上記平行方向においてバネ部材よりも刃部の末端側に設けられ、刃部の径よりも径の大きいストッパー部を有するとよい。ストッパー部を有することにより、万が一想定外の力が挿通方向にかかったとしても、ストッパー部が骨の挿通穴周辺の表面に接触し、それ以上刃部が骨の内部に侵入しないため、安全性が確保される。
【発明の効果】
【００１６】
以上説明したように、本発明によれば、骨を深く切削し過ぎることを抑制する医療用ドリルを提供することができる。
【図面の簡単な説明】
【００１７】
【図１】図１は、本実施例のインプラント用ドリルを示す概略斜視図である。
【図２】図２は、本実施例のインプラント用ドリルを用いた上顎の骨の切削について説明する模式的断面図である。
【図３】図３は、本実施例の変形例のインプラント用ドリルを示す概略斜視図である。
【発明を実施するための形態】
【００１８】
以下に図面を参照して、この発明を実施するための形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１９】
（本実施例）
＜インプラント治療及びインプラントの構成の概要＞
まず、本発明の実施例（以下、本実施例）の医療用ドリルとしてのインプラント用ドリルを用いたインプラント治療及びインプラントの構成の概要について説明する。
【００２０】
インプラントは、上部構造物と、接続アバットメント（支台）と、インプラント体（人口歯根）とを有する。上部構造物が所謂歯の代わりとなる義歯であり、インプラント体が顎の骨に埋め込まれて固定される部分である。接続アバットメントは、上部構造物とインプラント体を繋げる部分であり、義歯の向きを調整したりする役割を担っている。本実施例のインプラントとして、インプラント体が直径４．０ｍｍ、長さ９ｍｍのものを用いる。
【００２１】
本実施例では、上歯の場合、すなわち、上顎の骨にインプラントを設ける場合のインプラント治療について説明する。まず、歯が喪失された部分であってインプラントを埋め込む部分の歯茎（歯肉）を切開して上顎の骨を露出させる。そして、露出した骨に本実施例のインプラント用ドリルを用いて穴を空ける。その穴に、専用の器具を用いて、インプラント体を埋め込む。インプラント体が穴に入ったら、切開した歯茎を再び閉じてしっかりと縫い付ける。その状態でインプラント体が骨に固定されるのを待つ（約３カ月）。インプラント体が骨に固定されたら、接続アバットメントを介して上部構造物としての義歯をインプラント体に取り付ける。
【００２２】
＜インプラント用ドリルの構成＞
次に、図１を参照して、本実施例のインプラント用ドリルの構成について説明する。図１は、本実施例のインプラント用ドリルを示す概略斜視図である。図１（ａ）は、ドリル本体部を示す概略斜視図であり、図１（ｂ）は、スプリングバネと調整部材とをドリル本体に装着した状態である本実施例のインプラント用ドリルを示す概略斜視図である。
【００２３】
まず、図１（ａ）を参照して、本実施例のドリル本体部１０について説明する。図１（ａ）に示すように、本実施例のドリル本体部１０は、円柱状の刃部１１を有しており、刃部１１の先端部は先端に近づくにつれて先細りの先端刃１１ａとなっている。なお、図示しないが、刃部１１にはらせん状の溝が切られており、その溝の縁部が骨を切削することで挿通穴５０ａ（図２（ｂ）参照）の内周面を形成する。すなわち、骨に形成される挿通穴５０ａの内径は、刃部１１の直径と略同一である。なお、ドリル本体部１０は金属からなる。
【００２４】
また、ドリル本体部１０の先端刃１１ａと反対側の端部は、不図示の駆動装置と係合し、回転駆動力をドリル本体部１０に伝達するための駆動力伝達部１２となっている。また、ドリル本体部１０は、刃部１１の末端側に設けられ、刃部１１よりも径の大きい規制部
としてのストッパー部１３を有している。ストッパー部１３は、刃部１１が骨を切削することで形成される挿通穴の深さを規制する。すなわち、ストッパー部１３は、挿通穴周辺の骨の表面に突き当たることにより、ドリル本体部１０の全体が切削対象である骨を貫通することや、誤って骨を深く切削し過ぎてしまうことを抑制する。ストッパー部１３があることより、貫通孔の長さを最長でも、先端刃１１ａからストッパー部１３の上面１３ａまでの長さとなる。
【００２５】
さらに、図１（ｂ）を参照して、本実施例のインプラント用ドリル１００について説明する。図１（ｂ）に示すように、本実施例のインプラント用ドリル１００は、ドリル本体部１０と、ストッパー部１３よりも先端刃１１ａ側に設けられる調整部材２０と、調整部材２０よりも先端刃１１ａ側に設けられるバネ部材としてのスプリングバネ３０と、スプリングバネ３０の先端に取り付けられる保護部材としてのリング部材４０とを有している。
【００２６】
調整部材２０は、円筒状の樹脂部材であって、その内径が刃部１１の外径と略同一の大きさである。調整部材２０は、刃部１１に対して自由に抜き差しでき、最も奥に差し込んだ状態でストッパー部１３に突き当たる。調整部材２０は、ストッパー部１３よりも先端刃１１ａ側に位置する。そのため、調整部材２０を設けることで、インプラント用ドリル１００により骨に形成される貫通孔の最長の長さを短くでき、誤って骨を深く切削し過ぎてしまうことをより抑制することができる。すなわち、調整部材２０を用いた場合、ストッパー部１３の代わりに調整部材２０がストッパーとしての役割を果たす。なお、本実施例において、調整部材２０は、その内周面が刃部１１の外周面との間に発生する摩擦力の影響を受けながら刃部１１に対して抜き差し可能となっている。後述のリング部材４０も同様である。
【００２７】
スプリングバネ３０は、挿通方向Ａ（図２（ａ）参照）と平行な方向（以下、平行方向という）に伸縮可能な弾性部材である。スプリングバネ３０は、その径が、調整部材２０の外径より小さく、刃部１１の外径よりは大きい。したがって、スプリングバネ３０は、刃部１１に対して自由に抜き差しでき、最も奥に差し込んだ状態で調整部材２０に当接する。図１（ｂ）に示すように、スプリングバネ３０は、刃部１１の外周面を覆うように設けられる。
【００２８】
リング部材４０は、太さ１ｍｍ程度のプラスティックリングであり、その内径が刃部１１の外径と略同一の大きさである。先端刃１１ａ側のスプリングバネ３０の先端に取り付けられており、スプリングバネ３０と一体となっている。
【００２９】
なお、本実施例において、ドリル本体部１０と、調整部材２０、スプリングバネ３０とは、それぞれ分離可能に別体として構成されているが、それに限られるものではなく、一体に構成されていてもよい。例えば、スプリングバネ３０と、調整部材２０とを一体に構成し、その一体に構成されたものを、別体のドリル本体部１０に着脱可能な構成としてもよい。別体か一体かに関わらず、ドリル本体部１０の回転と共に、調整部材２０、スプリングバネ３０は回転する。
【００３０】
＜本実施例の優れた点＞
次に、図２を参照して、本実施例の優れた点について説明する。図２は、本実施例のインプラント用ドリルを用いた上顎の骨の切削について説明する模式的断面図である。図２（ａ）は、インプラント用ドリルの先端刃を骨に突き当てた状態を示し、図２（ｂ）は、インプラント用ドリルの刃部が骨の内部に挿通された状態を示し、図２（ｃ）は、インプラント用ドリルの先端刃が骨を貫通する瞬間の状態を示す図である。
【００３１】
図２（ａ）に示すように、上記インプラント治療の概要で説明したように歯茎を切開して露出させた上顎の骨５０の表面に、インプラント用ドリル１００の先端刃１１ａを突き当てる。そして、ドリル本体部１０の駆動力伝達部１２と係合する不図示の駆動装置を駆動し、インプラント用ドリル１００（ドリル本体部１０）に回転駆動力を伝達することでインプラント用ドリル１００を回転駆動させる。
【００３２】
回転駆動するインプラント用ドリル１００の刃部１１は、骨５０を切削しながら骨５０の内部へ挿通される。刃部１１が骨５０の内部に挿通され、しばらく進むと、図２（ｂ）に示すように、リング部材４０が骨５０の表面に当接する。リング部材４０は、刃部１１よりも径が大きいことより、刃部１１により切削され形成された挿通穴５０ａの内径よりも径が大きいためである。なお、リング部材４０、スプリングバネ３０は、ドリル本体部１０の回転に伴い回転する。即ち、リング部材４０は、回転しながら骨５０に当接する（即ち、骨５０とリング部材４０が摺動する）。リング部材４０は本発明に必須の構成ではないが、リング部材４０を設けることにより、スプリングバネ３０が直接骨５０に接触（摺動）する場合に比較して、骨５０の損傷を抑制できる。
【００３３】
リング部材４０が骨５０に当接した状態でさらに刃部１１を骨５０の内部に挿通すると、スプリングバネ３０が、リング部材４０（骨５０）と調整部材２０（ドリル本体部１０）との間で圧縮される。そのため、ドリル本体部１０には、刃部１１の挿通方向Ａと反対方向である図２（ｂ）中矢印Ｆ方向に弾性力（反発力）が働く。このように、本実施例の構成においては、刃部１１を骨５０の内部に挿通する際、常に刃部１１の挿通方向Ａと反対方向に弾性力が働くため、誤って骨５０を切削し過ぎることが抑制される。なお、調整部材２０は本発明に必須の構成ではないが、調整部材２０を設けることにより、長さの短いスプリングバネ３０を用いることが可能となる。調整部材２０、スプリングバネ３０の挿通方向Ａの長さは、形成する穴の深さや用いるドリルの刃部１１の長さに応じて適宜変更すると良い。また、弾性係数の異なるスプリングバネ３０を適宜選択して用いることで、挿通方向Ａと反対方向に働く弾性力の大きさを変えることができる。
【００３４】
ここで、刃部１１の長さが規定値（１０ｍｍ、１５ｍｍ、２０ｍｍ）のドリル本体部１０と、長さが規定値（４ｍｍ、５ｍｍ、６ｍｍ）の調整部材（スプリングストッパー）２０を用いた場合、それらの差し引き分の長さ以上の挿通穴は形成されない。例えば、刃部１１の長さが１０ｍｍ、調整部材２０の長さが４ｍｍの組み合わせで使用した場合、万が一想定外の力がかかったとしても、刃部１１が骨５０内に６ｍｍ以上侵入することはない。そのため、安全性が確保される。
【００３５】
また、サイナスリスト法を採用する際、上顎の骨５０を貫通する必要があるころ、図２（ｃ）に示すように、上顎の骨５０に貫通孔を形成する場合においては、刃部１１の挿通方向Ａと反対方向に弾性力が働くため、貫通後、先端刃１１ａが急激に骨５０から突出してしまうことを抑制できる。その結果、骨５０の裏側の粘膜（シュナイダー膜）５１を先端刃１１ａで破いてしまい、上顎洞５２まで刃部１１が突き抜けてしまうことを抑制できる。
【００３６】
スプリングバネ３０による弾性力は、リング部材４０が骨５０の表面に突き当たった状態で刃部１１を骨５０に挿通する際に常に働き、スプリングバネ３０が圧縮される程大きくなる。すなわち、図２（ｂ）の状態よりも、図２（ｃ）の状態の方が弾性力が大きい。そのため、骨５０を貫通する場合においては、貫通する瞬間に最も大きな弾性力が挿通方向Ａと反対方向に働く。したがって、急激に先端刃１１ａが骨から突出し、骨５０の裏側の粘膜を先端刃１１ａで破いてしまうことを抑制できる。
【００３７】
なお、本実施例においては、図２を参照して、上顎の骨５０を切削する場合について説
明したが、これに限られるものではなく、下顎の骨を切削する場合において本実施例のインプラント用ドリル１００を用いてもよい。また、本実施例においては、インプラント用ドリル１００について説明したが、これに限られるものではなく、医療用ドリルであれば他のドリルであってもよい。例えば、頭蓋骨開頭用のドリルであってもよい。本実施例の医療用ドリルを用いることで、医療事故の可能性を低減し、安全性を高めることができる。
【００３８】
（変形例）
本発明に係る医療用ドリルは上記実施例で示した構成に限定されるわけではなく、刃部１１の挿通方向Ａと反対方向に弾性力が働く構成であれば他の構成であっても良い。本実施例の変形例のインプラント用ドリル２００を図３に示す。なお、図３の点線は、刃部１１等を透視したものを示している。
【００３９】
図３に示す構成においては、図１で示したリング部材４０の代わりに保護部材としての円筒部材４００を用いた。円筒部材４００の内径は刃部１１の外径と略同一である。円筒部材４００は、樹脂性の部材から成り、刃部１１に対して抜き差し自在に構成される。なお、図１で示したリング部材４０がスプリングバネ３０と一体に取り付けられていたのに対し、円筒部材４００は、スプリングバネ３０と別体でもよい。図３に示す変形例においては、リング部材４０よりも円筒部材４００の方が挿通方向Ａの長さが長いため刃部１１に対する位置が安定しており、図１のリング部材４０を用いた構成に比較して、挿通方向Ａの位置ブレが少ない。そのため、骨５０の表面のうち挿通穴５０ａ周辺を傷つけにくい。また、図３に示すように、円筒部材４００の挿通方向Ａの端面４００ａは平面であるため、骨５０に対する当接面が大きく、局所的に骨５０に対して圧力がかかりにくいため、骨５０を傷つけにくい。
【符号の説明】
【００４０】
１０    ドリル本体
１１    刃部
１１ａ  先端刃
１２    駆動力伝達部
１３    ストッパー部（規制部）
２０    調整部材
３０    スプリングバネ（バネ部材）
４０    リング部材（保護部材）
５０    骨
５１    粘膜（シュナイダー膜）
５２    上顎洞（サイナス）
１００，２００  インプラント用ドリル（医療用ドリル）
４００  円筒部材（保護部材）
４００ａ  端面
【図１】
2015217163.tif 000003
【図２】
2015217163.tif 000004
【図３】
2015217163.tif 000005
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
骨を切削する刃部を有するドリル本体部を備える医療用ドリルであって、
前記ドリル本体部は、らせん状の溝が切られた円柱状の刃部を有し、刃部の先端部は先端に近づくにつれて先細りの先端刃となっており、刃部の末端側には前記刃部の径よりも径の大きいストッパー部を有しており、
さらに、前記ストッパー部よりも先端刃側に設けられる調整部材と、調整部材よりも先端刃側に設けられるばね部材と、該ばね部材の先端に取り付けられる保護部材とを有し、
前記調整部材及び保護部材は、その内周面が刃部の外周面との間に発生する摩擦力の影響を受けながら刃部に対して抜き差し可能で、ドリル本体部の回転と共に、調整部材、ばね部材及び保護部材が回転する構成で、
前記ばね部材は、前記刃部が前記骨を切削しながら前記骨の内部に挿通される際、前記刃部が前記骨に挿通される挿通方向と平行な平行方向において前記骨と前記ドリル本体部との間で圧縮され、
前記保護部材は、前記刃部が前記骨を切削しながら前記骨の内部に挿通される際、前記骨の表面であって前記骨に形成される挿通穴の周辺に当接し、前記ドリル本体部の回転と共に回転しながら骨に当接して摺動する構成となっていることを特徴とする医療用ドリル。
【請求項２】
前記保護部材は、前記平行方向の端面であって前記骨の表面に当接する面が平面であることを特徴とする請求項１に記載の医療用ドリル。
【請求項３】
前記ばね部材は、前記平行方向に伸縮可能なスプリングバネであることを特徴とする請求項１又は２に記載の医療用ドリル。
【請求項４】
裏側に粘膜を有する前記骨に貫通孔を形成する請求項１〜３のいずれか１項に記載の医療用ドリル。
【手続補正２】
【補正対象書類名】明細書
【補正対象項目名】００１０
【補正方法】変更
【補正の内容】
【００１０】
すなわち、本発明の医療用ドリルは、
骨を切削する刃部を有するドリル本体部を備える医療用ドリルであって、
前記ドリル本体部は、らせん状の溝が切られた円柱状の刃部を有し、刃部の先端部は先端に近づくにつれて先細りの先端刃となっており、刃部の末端側には前記刃部の径よりも径の大きいストッパー部を有しており、
さらに、前記ストッパー部よりも先端刃側に設けられる調整部材と、調整部材よりも先端刃側に設けられるばね部材と、該ばね部材の先端に取り付けられる保護部材とを有し、
前記調整部材及び保護部材は、その内周面が刃部の外周面との間に発生する摩擦力の影響を受けながら刃部に対して抜き差し可能で、ドリル本体部の回転と共に、調整部材、ばね部材及び保護部材が回転する構成で、
前記ばね部材は、前記刃部が前記骨を切削しながら前記骨の内部に挿通される際、前記刃部が前記骨に挿通される挿通方向と平行な平行方向において前記骨と前記ドリル本体部との間で圧縮され、
前記保護部材は、前記刃部が前記骨を切削しながら前記骨の内部に挿通される際、前記骨の表面であって前記骨に形成される挿通穴の周辺に当接し、前記ドリル本体部の回転と共に回転しながら骨に当接して摺動する構成となっていることを特徴とする。
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
骨を切削する刃部を有するドリル本体部を備える医療用ドリルであって、
前記ドリル本体部は、らせん状の溝が切られた円柱状の刃部を有し、刃部の先端部は先端に近づくにつれて先細りの先端刃となっており、刃部の末端側には前記刃部の径よりも径の大きいストッパー部を有しており、
さらに、前記ストッパー部よりも先端刃側に設けられる調整部材と、調整部材よりも先端刃側に設けられるばね部材と、該ばね部材の先端に取り付けられる保護部材とを有し、
前記調整部材及び保護部材の内周面は前記刃部の外径とほぼ同一径の断面円形状で、前記調整部材及び保護部材は、その内周面が刃部の外周面との間に発生する摩擦力の影響を受けながら刃部に対して抜き差し可能で、ドリル本体部の回転と共に、調整部材、ばね部材及び保護部材が回転する構成で、
前記ばね部材は、前記刃部が前記骨を切削しながら前記骨の内部に挿通される際、前記刃部が前記骨に挿通される挿通方向と平行な平行方向において前記骨と前記ドリル本体部との間で圧縮され、
前記保護部材は、前記刃部が前記骨を切削しながら前記骨の内部に挿通される際、前記骨の表面であって前記骨に形成される挿通穴の周辺に当接し、前記ドリル本体部の回転と共に回転しながら骨に当接して摺動する構成となっていることを特徴とする医療用ドリル。
【請求項２】
前記保護部材は、前記平行方向の端面であって前記骨の表面に当接する面が平面であることを特徴とする請求項１に記載の医療用ドリル。
【請求項３】
前記バネ部材は、前記平行方向に伸縮可能なスプリングバネであることを特徴とする請求項１又は２に記載の医療用ドリル。
【請求項４】
裏側に粘膜を有する前記骨に貫通孔を形成する請求項１〜３のいずれか１項に記載の医
療用ドリル。
【手続補正２】
【補正対象書類名】明細書
【補正対象項目名】００１０
【補正方法】変更
【補正の内容】
【００１０】
すなわち、本発明の医療用ドリルは、
骨を切削する刃部を有するドリル本体部を備える医療用ドリルであって、
前記ドリル本体部は、らせん状の溝が切られた円柱状の刃部を有し、刃部の先端部は先端に近づくにつれて先細りの先端刃となっており、刃部の末端側には前記刃部の径よりも径の大きいストッパー部を有しており、
さらに、前記ストッパー部よりも先端刃側に設けられる調整部材と、調整部材よりも先端刃側に設けられるばね部材と、該ばね部材の先端に取り付けられる保護部材とを有し、
前記調整部材及び保護部材の内周面は前記刃部の外径とほぼ同一径の断面円形状で、前記調整部材及び保護部材は、その内周面が刃部の外周面との間に発生する摩擦力の影響を受けながら刃部に対して抜き差し可能で、ドリル本体部の回転と共に、調整部材、ばね部材及び保護部材が回転する構成で、
前記ばね部材は、前記刃部が前記骨を切削しながら前記骨の内部に挿通される際、前記刃部が前記骨に挿通される挿通方向と平行な平行方向において前記骨と前記ドリル本体部との間で圧縮され、
前記保護部材は、前記刃部が前記骨を切削しながら前記骨の内部に挿通される際、前記骨の表面であって前記骨に形成される挿通穴の周辺に当接し、前記ドリル本体部の回転と共に回転しながら骨に当接して摺動する構成となっていることを特徴とする。